(57)【要約】【課題】部品コストの低減、および製品の小型化を実現し、特殊撮影時における画質の低下を抑制する。【解決手段】レンズ付きフイルムユニット２の前カバー１１に、特殊撮影を行うためのアダプタ３０を固着する。アダプタ本体３１を前カバー１１に固着する際には、アダプタ本体３１の背面に設けられた嵌合爪３７を、前カバー１１の成形穴２１に挿入し、前カバー１１の裏側の面に嵌合させる。また、位置決めボス３８を前カバー１１のリブ受け穴２２に挿入し、アダプタ本体３１の縦横方向の位置決めを行う。外装ラベル２３の成形穴２１およびリブ受け穴２２に対応する部分と、アダプタ本体３１の位置決め突起３９に対応する部分に、アダプタ本体３１と前カバー１１とを直接接触させるための切欠き２４および２５を形成する。【選択図】　　　　図２
2004145230.tif 000002
【特許請求の範囲】
【請求項１】
標準撮影を行うための撮影レンズが露呈される開口が設けられた前カバーに、
特殊撮影を行うための光学系と、
この光学系を保持するとともに、前記撮影レンズから光学系を退避させる標準撮影位置、および撮影レンズの前面に光学系を配置させる特殊撮影位置の間で移動自在な撮影機能切替部材とからなるアダプタを固着したことを特徴とするレンズ付きフイルムユニット。
【請求項２】
前記前カバーに予め設けられた組立穴を用いて、前記アダプタの固着および位置決めを行うことを特徴とする請求項１に記載のレンズ付きフイルムユニット。
【請求項３】
前記前カバーを覆う外装ラベルの、前記アダプタと前カバーとが当接する部分に、アダプタと前カバーとを直接接触させるための切欠きを形成したことを特徴とする請求項１または２に記載のレンズ付きフイルムユニット。
【請求項４】
前記光学系として、被写体像を縦または横方向に伸長または収縮させるシリンドリカルレンズを用いたことを特徴とする請求項１乃至３に記載のレンズ付きフイルムユニット。
【請求項５】
前記被写体像のフレーミングを行うファインダから観察される被写体範囲を、前記シリンドリカルレンズを通して結像される被写体像の伸長率または収縮率に応じて視野を制限する視野枠を前記撮影機能切替部材のファインダ前面に形成したことを特徴とする請求項４に記載のレンズ付きフイルムユニット。
【発明の詳細な説明】
【０００１】
【発明の属する技術分野】
本発明は、アダプタを用いて特殊撮影を行うレンズ付きフイルムユニットに関する。
【０００２】
【従来の技術】
１回使用型の簡易型カメラとして、レンズ付きフイルムユニットが普及している。このレンズ付きフイルムユニットには、さらにバリエーション豊かな写真撮影を楽しめるように、ソフトフォーカスやスノークロス、被写体の横幅を狭めて、あるいは被写体を縦長に写してスリムに見せるなどの特殊撮影を行う機能を備えたものがある（特許文献１および２参照）。
【０００３】
上記のようなレンズ付きフイルムユニットとしては、特殊撮影用の光学系（レンズ、フィルタなど）を備えたアダプタを、専用の取り付けバンドを用いてユニット本体の前カバーに装着するものがある（特許文献３参照）。また、特殊撮影用の光学系が複数個配された円盤状の板が取り付けられたコの字型のアダプタを装着するものが提案されている（特許文献４参照）。
【０００４】
【特許文献１】
特開平７−９２５５２号公報
【特許文献２】
特開２０００−１２２２３３号公報
【特許文献３】
特開平１０−３０７３２４号公報
【特許文献４】
特開２０００−１６２６９０号公報
【０００５】
【発明が解決しようとする課題】
しかしながら、特許文献３に記載されるものは、アダプタをユニット本体に装着するために取り付けバンドを用いなければならないので、部品コストの増大、製品の大型化を招いていた。また、特許文献４に記載されるものの場合は、アダプタの縦サイズがユニット本体よりも大きいため、やはり製品の大型化は避けられない。
【０００６】
さらに、特許文献３および４にはアダプタの縦横方向の位置決めに関して特に記載がなく、アダプタの位置ズレにより特殊撮影時の画質が低下するおそれがある。また、撮影レンズの光軸方向の位置決めについても、前カバーを覆う外装ラベルの上からアダプタを押さえつけているため、外装ラベルの撓みなどを考慮すると正確な位置決めがなされているとは言い難い。
【０００７】
そのうえ、特許文献１〜４に記載されるものには、被写体の横幅を狭めてスリムに見せる特殊撮影を行った際に、被写体のフレーミングを行うファインダの視野と、実際に撮影される被写体画像の撮影範囲が異なるという不具合に関する対策がなされていない。
【０００８】
本発明は、部品コストの低減、および製品の小型化に寄与することができ、特殊撮影時における画質の低下を抑制することが可能なレンズ付きフイルムユニットを提供することを目的とする。
【０００９】
【課題を解決するための手段】
上記目的を達成するために、本発明のレンズ付きフイルムユニットは、標準撮影を行うための撮影レンズが露呈される開口が設けられた前カバーに、特殊撮影を行うための光学系と、この光学系を保持するとともに、前記撮影レンズから光学系を退避させる標準撮影位置、および撮影レンズの前面に光学系を配置させる特殊撮影位置の間で移動自在な撮影機能切替部材とからなるアダプタを固着したことを特徴とする。
【００１０】
なお、前記前カバーに予め設けられた組立穴を用いて、前記アダプタの固着および位置決めを行うことが好ましい。また、前記前カバーを覆う外装ラベルの、前記アダプタと前カバーとが当接する部分に、アダプタと前カバーとを直接接触させるための切欠きを形成することが好ましい。
【００１１】
なお、前記光学系として、被写体像を縦または横方向に伸長または収縮させるシリンドリカルレンズを用い、前記被写体像のフレーミングを行うファインダから観察される被写体範囲を、前記シリンドリカルレンズを通して結像される被写体像の伸長率または収縮率に応じて視野を制限する視野枠を前記撮影機能切替部材のファインダ前面に形成することが好ましい。
【００１２】
【発明の実施の形態】
図１において、レンズ付きフイルムユニット２のユニット本体１０は、露光ユニットやストロボ装置が組み込まれた本体基部、未露光の写真フイルムが巻き込まれたフイルムカートリッジが収納されるカートリッジ収納室や、露光済みの写真フイルムが巻き取られるフイルム収納室などが前カバー１１および後カバー１２により覆われた構成となっている。前カバー１１には、撮影レンズ１３、ファインダ対物窓１４、ストロボ操作ツマミ１５、およびストロボ発光窓１６が露呈されている。
【００１３】
レンズ付きフイルムユニット２の上面には、撮影者にストロボ装置の充電が完了したことを報知する充電報知ランプ１７、撮影枚数カウンタ１８、およびレリーズボタン１９が設けられている。後カバー１２には、ファインダ接眼窓２０が露呈され、カートリッジ収納室とフイルム収納室を光密に覆う底蓋（図示せず）が一体に形成されている。この底蓋は、撮影終了後のフイルムカートリッジを取り出す際に開放される。なお、ファインダ接眼窓２０から観察される被写体像の範囲は、撮影レンズ１３を通して結像される被写体像の範囲よりも、若干狭く設定されている。
【００１４】
ストロボ操作ツマミ１５は、ストロボ撮影を行う際に操作され、上下にスライド自在となっている。充電報知ランプ１７は、ストロボ操作ツマミ１５の投入と連動して上部に突出するようになっており、充電の完了とともに点滅して撮影者に充電完了を報知する。充電完了後、レリーズボタン１９を押圧すると、シャッタレリーズと同時にストロボ発光窓１６からストロボ光が被写体に向けて照射される。
【００１５】
前カバー１１には、レンズ付きフイルムユニット２を組み立てる際に、本体基部に設けられた係合爪２６と係合する係合爪２７（ともに図４参照）を一体成形するための成形穴２１や、本体基部に形成された位置決めリブが嵌め込まれるリブ受け穴２２が形成されている。成形穴２１およびリブ受け穴２２は、後述するアダプタ本体３１の固着および位置決めを行う際に用いられる。
【００１６】
ユニット本体１０の一部は、外装ラベル２３で覆われている。この外装ラベル２３の成形穴２１およびリブ受け穴２２に対応する部分と、アダプタ本体３１の位置決め突起３９（図２参照）に対応する部分には、アダプタ本体３１と前カバー１１とを直接接触させるための切欠き２４および２５がそれぞれ形成されている。
【００１７】
図２に示すように、前カバー１１には、特殊撮影を行うためのアダプタ３０が固着される。アダプタ３０は、アダプタ本体３１、シリンドリカルレンズ３２、およびレンズ保持蓋３３からなる。アダプタ本体３１には、前カバー１１の隆起部分が嵌め込まれる開口３４が形成されており、その下部にはレンズ保持蓋３３の回転軸３５（図５も参照）に嵌め込まれるフック３６が設けられている。また、図３にも示すように、アダプタ本体３１の背面には、嵌合爪３７、位置決めボス３８、および位置決め突起３９が形成されている。
【００１８】
図４に示すように、嵌合爪３７は、前カバー１１の成形穴２１に挿入され、前カバー１１の裏側の面に嵌合する。これによりアダプタ本体３１が前カバー１１に固着される。位置決めボス３８は、前カバー１１のリブ受け穴２２に挿入され、アダプタ本体３１の縦横方向の位置決めを行う。このようにすると、専用の取り付けバンドを用いるなど部品点数を増加させることなく、前カバー１１に予め設けられた組立穴（成形穴２１およびリブ受け穴２２）を利用するだけで、アダプタ本体３１が前カバー１１に固着され、アダプタ本体３１の縦横方向の位置決めを確実に行うことができる。
【００１９】
位置決め突起３９は、外装ラベル２３に形成された切欠き２５を介して直接前カバー１１に当接し、撮影レンズ１３の光軸方向に対するアダプタ本体３１の位置決めを行う。また、嵌合爪３７および位置決めボス３８の前カバー１１と当接する部分は、切欠き２４を介して前カバー１１と直接接触している（図４で点線で囲む部分）。このため、外装ラベル２３の撓みによるアダプタ本体３１の光軸方向に対するズレが解消され、特殊撮影時の画質を向上させることができる。
【００２０】
嵌合爪３７の側面部分には、切欠き４０が形成されている。アダプタ本体３１を前カバー１１に固着した後、この切欠き４０を介して側面から係合爪３７の一部を覗けるので、レンズ付きフイルムユニット２を回収した後の部品解体を容易に行うことができる。なお、嵌合爪３７の側面部分の一部ではなく、全てに切欠きを形成すれば、利用者が必要に応じてアダプタ３０を交換することができる。
【００２１】
シリンドリカルレンズ３２を通して被写体を撮影すると、被写体が縦長に写されてスリムに見える特殊撮影を行うことができる。図５（Ａ）に示すように、シリンドリカルレンズ３２は、レンズ保持蓋３３に設けられたレンズ装着穴５０に背面から嵌め込まれて保持される。レンズ装着穴５０の左右側面には、円筒形のリブ５１が形成されている。このリブ５１は、シリンドリカルレンズ３２をレンズ装着穴５０に嵌め込んだ際に、シリンドリカルレンズ３２の両側面で軽く押し潰されることにより、シリンドリカルレンズ３２の横方向のガタつきを防止する。
【００２２】
レンズ装着穴５０の上下部分には、係止爪５２が設けられている。図５（Ｂ）に示すように、この係止爪５２の爪部分の高さｄ１は、シリンドリカルレンズ３２の端部の厚みｄ２よりも僅かに低くなっている。このため、図示するように係止爪５２が外側に撓んだ状態で、シリンドリカルレンズ３２がレンズ保持蓋３３の前面側に押し付けられる。このようにすると、シリンドリカルレンズ３２がガタつくことなく確実にレンズ装着穴５０に嵌め込まれるので、特殊撮影時にさらに良好な画質を得ることができる。
【００２３】
レンズ保持蓋３３は、図６（Ａ）に示す標準撮影位置と、（Ｂ）に示す特殊撮影位置との間で回動自在となっており、撮影機能切替部材を構成している。アダプタ本体３１およびレンズ保持蓋３３は、係合部６０ａ、６０ｂにより閉じ位置に係合される。また、図７に示すように、アダプタ本体３１の下側部分およびレンズ保持蓋３３の回転軸３５には、係止突起７０ａ、７０ｂからなるクリックストップ機構７０（点線で示す部分）が設けられている。このクリックストップ機構７０は、標準撮影時にレンズ保持蓋３３が撮影レンズ１３の画角内に進入することを防止するために設けられている。係止突起７０ａ、７０ｂは、係止突起７０ｂが係止突起７０ａに乗り上げる寸前に、レンズ保持蓋３３が撮影レンズ１３の画角から退避するように形成されている。
【００２４】
標準撮影時には、係止突起７０ｂが係止突起７０ａに乗り上げるまでレンズ保持蓋３３を回動させ、図６（Ａ）に示す標準撮影位置に固定する。特殊撮影を行う場合は、レンズ保持蓋３３を回動させてクリックストップ機構７０を解除した後、図６（Ｂ）に示す特殊撮影位置にレンズ保持蓋３３を回動させ、アダプタ本体３１に係合させる。なお、標準撮影時にレンズ保持蓋３３を標準撮影位置に固定する方法としては、上記のクリックストップ機構７０の他に、レンズ保持蓋３３を開き方向に付勢するバネを回転軸３５に取り付けてもよい。
【００２５】
上記実施形態では、アダプタ本体３１を前カバー１１に固着する方法として嵌合爪３７を用いたが、圧入嵌合や溶着嵌合を用いてもよい。また、被写体像を横方向に収縮させるシリンドリカルレンズ３２を用いてスリム撮影を行ってもよく、特殊撮影用の光学系としては、上記実施形態のシリンドリカルレンズ３２に限らず、ソフトフォーカスやスノークロス撮影用のフィルタなどを用いることができる。さらに、切欠き２４および２５が形成されていない外装ラベルを用いれば、標準撮影のみが行える通常のレンズ付きフイルムユニットとして製品化することが可能である。換言すれば、外装ラベルを貼り替えるだけで、標準撮影のみが行える通常のレンズ付きフイルムユニットを特殊撮影も行える仕様に変更することができる。
【００２６】
図８に示すように、ファインダ接眼窓２０から観察される被写体範囲を、シリンドリカルレンズ３２を通して結像される被写体像の伸長率または収縮率に応じて視野を制限する視野枠７１を、ファインダ対物窓１４の前面に形成したレンズ保持蓋７２を用いてもよい。視野枠７１は、シリンドリカルレンズ３２による被写体像の縦方向の伸長率が例えば１０％であった場合、ファインダ接眼窓２０から観察される被写体像を縦方向に１０％分制限するように形成される。このようにすると、特殊撮影時、標準撮影時に関わらず、ファインダ接眼窓２０から観察される被写体像が撮影画像と略同一となるので、撮影者に違和感を与えることなく特殊撮影を行うことができる。
【００２７】
【発明の効果】
以上のように、本発明のレンズ付きフイルムユニットによれば、標準撮影を行うための撮影レンズが露呈される開口が設けられた前カバーに、特殊撮影を行うための光学系と、この光学系を保持するとともに、前記撮影レンズから光学系を退避させる標準撮影位置、および撮影レンズの前面に光学系を配置させる特殊撮影位置の間で移動自在な撮影機能切替部材とからなるアダプタを固着したので、部品コストの低減、および装置の小型化に寄与することができる。
【００２８】
また、前カバーに予め設けられた組立穴を用いて、アダプタの固着および位置決めを行い、前カバーを覆う外装ラベルの、アダプタと前カバーとが当接する部分に、アダプタと前カバーとを直接接触させるための切欠きを形成したので、特殊撮影時における画質の低下を抑制することができる。
【００２９】
さらに、光学系として、被写体像を縦または横方向に伸長または収縮させるシリンドリカルレンズを用い、被写体像のフレーミングを行うファインダから観察される被写体範囲を、シリンドリカルレンズを通して結像される被写体像の伸長率または収縮率に応じて視野を制限する視野枠を撮影機能切替部材のファインダ前面に形成したので、撮影者に違和感を与えることなく特殊撮影を行うことができる。
【図面の簡単な説明】
【図１】本発明を実施したレンズ付きフイルムユニットの正面概観斜視図である。
【図２】アダプタの分解斜視図である。
【図３】アダプタ本体の背面概観斜視図である。
【図４】嵌合爪付近の拡大断面図である。
【図５】（Ａ）はレンズ装着穴にシリンドリカルレンズが嵌め込まれた状態を示す図であり、（Ｂ）は係止爪付近の拡大断面図である。
【図６】（Ａ）は標準撮影時、（Ｂ）は特殊撮影時におけるレンズ付きフイルムユニットを示す概観斜視図である。
【図７】アダプタ本体およびレンズ保持蓋のクリックストップ機構を示す断面図である。
【図８】レンズ保持蓋に視野枠を形成した実施形態を示す図である。
【符号の説明】
２　レンズ付きフイルムユニット
１０　ユニット本体
１１　前カバー
１３　撮影レンズ
１９　レリーズボタン
２１　成形穴
２２　リブ受け穴
２３　外装ラベル
２４、２５　切欠き
３０　アダプタ
３１　アダプタ本体
３２　シリンドリカルレンズ
３３、７２　レンズ保持蓋
３７　嵌合爪
３８　位置決めボス
３９　位置決め突起
５１　リブ
５２　係止爪
７０　クリックストップ機構
７１　視野枠
【図１】
2004145230.tif 000003
【図２】
2004145230.tif 000004
【図３】
2004145230.tif 000005
【図４】
2004145230.tif 000006
【図５】
2004145230.tif 000007
【図６】
2004145230.tif 000008
【図７】
2004145230.tif 000009
【図８】
2004145230.tif 000010